(57)【要約】【課題】マットレスとして使用可能である一方、昼間においては、これを押し入れに収容することなくソファー、ベビーベッド等のクッション材として利用可能な多機能のマットレスを提供する。【解決手段】３以上の直方体のマットレスブロック１２が連接されている折り畳み可能なマットレスであって、端部の２つのマットレスブロックが、枠部１８と前記枠部１８に着脱自在に形成された内側部材１４とからなる多機能マットレス１０とする。【選択図】図２
2008212560.tif 000002
【特許請求の範囲】
【請求項１】
３以上の直方体のマットレスブロックが連接されている折り畳み可能なマットレスであって、
端部の２つのマットレスブロックが、枠部と前記枠部に着脱自在に形成された内側部材とからなることを特徴とする多機能マットレス。
【請求項２】
前記マットレスブロックは、同じ形状であり、かつ前記内側部材と前記マットレスブロックとが同じ形状であることを特徴とする請求項１に記載の多機能マットレス。
【請求項３】
前記内側部材は、２個のサブブロックからなり、前記サブブロックは着脱自在であることを特徴とする請求項１又は２に記載の多機能マットレス。
【発明の詳細な説明】
【技術分野】
【０００１】
本発明は、マットレス、ソファー、ベビーベッド等として利用可能な多機能のマットレスに関するものである。
【背景技術】
【０００２】
３ないし４個の同一形状の平面形状が長方形の直方体に裁断した軟質ポリウレタンフォームを織物により形成した表皮材に収容し、３つ又は４つに折り畳んで押し入れ等の収納庫に収容可能にしたマットレスは周知である（例えば特許文献１、２）。軟質ポリウレタンフォームはソファーや椅子、車両のクッション材としても一般的に使用されている。
【０００３】
特許文献１に開示されたマットレスは、「洗濯や移動等において分解や結合を楽に行うことが出来、また収納時等には、必要に応じて簡単に折り畳むことが出来る」ことを目的とするものであり、それぞれ独立して表皮材に収容し、ファスナーで分離自在に接続した３ないし４個の長方形の軟質ポリウレタンフォームからなるものである。
【０００４】
【特許文献１】特開２００２−３１５６５１号公報
【特許文献２】特開２００１−０００２８１号公報
【発明の開示】
【発明が解決しようとする課題】
【０００５】
特許文献１、２に開示されたマットレスは、その目的とするとおり、洗濯や移動等において分解や結合を楽に行うことができ、また収納時等には、必要に応じて簡単に折り畳むことができるものである。
【０００６】
しかるに近年、特にワンルームマンションにおいては、部屋の大きさが制限されていることから、また家族用のマンションにおいては収納スペースが制限されていることから、マットレスとソファーを別個に配置することが難しい状況にある。
【０００７】
本発明は、上記の問題点に鑑みて、マットレスとして使用可能である一方、昼間においては、これを押し入れに収容することなくソファー、ベビーベッド等のクッション材として利用可能な多機能のマットレスを提供することを目的とする。
【課題を解決するための手段】
【０００８】
本発明の多機能マットレスは、３以上の直方体のマットレスブロックが連接されている折り畳み可能なマットレスであって、
端部の２つのマットレスブロックが、枠部と前記枠部に着脱自在に形成された内側部材とからなることを特徴とする。
【０００９】
上記構成のマットレスは、マットレス、ソファー、ベビーケージ等として利用可能な多機能を有するマットレスである。連接は着脱可能であってもなくてもよい。マットレスブロックは、平面視にて長方形或いは正方形であり、厚さは特に限定されるものではないが、５〜２０ｃｍであることが好ましい。各マットレスブロックは異なる形状であってもよいが、同一形状であることが好ましい。マットレス全体の長さは特に限定されるものではなく、一般的には１．８〜２．５ｍである。また、幅は一般的なシングル、ダブル等に応じた大きさとすることができる。
【発明を実施するための最良の形態】
【００１０】
本発明の多機能マットレスを構成する素材は特に限定されず、公知のマットレスに使用される素材を使用することができる。クッション材としては、軟質ポリウレタンフォーム、ラバーフォーム、熱可塑性弾性樹脂の連続線条のランダムループからなり、前記連続線条の接触部の大部分が融着された３次元立体構造網状体（特開平９−１７０８号公報開示；市販品ブレスエア（東洋紡績））等が例示され、単独、又は２種以上を積層して使用することができる。クッション材を多層構造とする場合、下層部材として硬綿相当材料を使用してもよい。本発明のマットレスの表皮材は、皮革、織物、不織布等であってマットレスやクッション材の表皮材構成材料として公知の素材にて形成されたものを使用することができる。
【実施例１】
【００１１】
図１は本発明の多機能マットレスの好適な形態を例示した斜視図であり、図１（ａ）は平坦に敷いたマットレスとして使用できる状態であり、図１（ｂ）は押し入れ等に収容可能に３つに折り畳んだ状態である。マットレス１０は、上面図にて長方形の平坦な直方体であり、同じ形状の第１マットレスブロック１２ａ、第２マットレスブロック１２ｂ及び第３マットレスブロック１２ｃからなり、それぞれのマットレスブロックはクッション材とこれを被覆する表皮材とから構成される。第１マットレスブロック１２ａと第２マットレスブロック１２ｂ、第２マットレスブロック１２ｂと第３マットレスブロック１２ｃとは、平坦に敷いた状態で互いに逆の面にて連接されており、この連接部にて折り返すことにより図１（ｂ）のように折り畳むことができる。マットレス１０の第１マットレスブロック１２ａと第２マットレスブロック１２ｂは、枠部１８と該枠部１８に着脱自在に形成された内側部材１４とから構成されている。
【００１２】
マットレスブロックを着脱自在に構成する場合、連接する方法としては特に限定されるものではなく、連接する直方体の稜にファスナーを配設する方法、折り返して畳む場合に互いに接する面の端部に幅方向に面ファスナーを配設する方法、折り返して畳む場合に互いに接する面の端部近傍にマットレスの長さ方向に複数本のベルト状の面ファスナーを配設する方法等を例示することができる。内側部材を構成するサブブロックを着脱自在に連接する場合も同様の構成とすることができる。内側部材を枠部に着脱自在に装着する方法としては、単に嵌着する方法であってもよく、ファスナーや面ファスナーを使用する方法であってもよい。
【００１３】
内側部材１４は、連接された第１マットレスブロック１２ａと第２マットレスブロック１２ｂの中央部をくり抜いて別部材としたに相当する構成を有する。即ち内側部材１４は、上面図にて長方形の平坦な直方体であり、第１サブブロック１６ａ及び第２サブブロック１６ｂとから構成されており、第１サブブロック１６ａと第２サブブロック１６ｂとは端部にて折り畳み可能に連接されている。内側部材１４は、第１マットレスブロック１２ａと異なった形状であってもよいが、同形状であることが好ましい。第１サブブロック１６ａと第２サブブロック１６ｂも異なった形状であってもよいが、同形状であることが好ましい。
【００１４】
図２は、図１に示した多機能マットレス１０をソファーとして使用できるようにした配置例である。マットレス１０は、図１（ｂ）のように折り畳むと共に内側部材１４を取り外して平坦化し、これを第３マットレスブロック１２ｃの下に敷くことによりソファーとして使用可能な形状となる。枠部１８のマットレス長さ方向側部分は背もたれ部になり、枠部１８のマットレスの幅方向部分は肘置き部となる。
【００１５】
図３は、図１に示した多機能マットレス１０をベビーベッドとして使用できるようにした配置例である。マットレス１０は、内側部材１４を取り外して下に敷き、第３マットレスブロック１２ｃを枠部の下に折返して端部を内側部材の長辺側に当接させ、下に内側部材１４と第３マットレスブロック１２ｃとからなるクッション部が形成されると共に、その上に枠部１６が形成されたベビーベッドとする。係る構成により、赤ん坊が寝返りをした場合にクッション部より外に転がり出ることがなく、また掛け布団のずれ落ちも防止可能である。
【実施例２】
【００１６】
図４には、本発明の多機能マットレスの好適な別の形態を斜視図にて示した。多機能のマットレス２０は、第１マットレスブロック２２ａ、第２マットレスブロック２２ｂ、第３マットレスブロック２２ｃ及び第４マットレスブロック２２ｄが図１の例と同様に連接されており、第１マットレスブロック２２ａと第２マットレスブロック２２ｂとは、枠部２８と該枠部２８に着脱自在に形成された内側部材２４とから構成されている。
【００１７】
図５には、図４に示した多機能マットレスをソファーとして使用できるようにした配置例を斜視図にて示した。第３マットレスブロック２２ｃと第４マットレスブロック２２ｄは開いた状態とし、第１マットレスブロック２２ａと第２マットレスブロック２２ｂは第３マットレスブロック２２ｃの上に折り畳む。内側部材２４は長辺側端部にて折り畳み可能に連接された第１サブブロック２６ａ及び第２サブブロック１６ｂとから構成されており、一方のサブブロック、図示した例では第１サブブロック２６ａを第３マットレスブロック２２ｃの上面から枠部２８に斜めに立てかけるように配設する。係る構成によれば、足を伸ばした状態でソファーとして使用できる。
【００１８】
図６は、図４に示した多機能マットレスにおいて内側部材２４を構成する第１サブブロック２６ａと第２サブブロック２６ｂを別体とした例を示した斜視図である。
【００１９】
図７には、図６に示した多機能マットレスをソファーとして使用できるようにした配置例を斜視図にて示した。配置は図５と同様であり、図５において、枠部２８の外側に懸垂状態となっていた第２サブブロック２６ｂを第４マットレスブロック２２ｄ上に、足首、ふくらはぎ、ひざ下とうの位置に載置することにより、脚下端部を上げてソファーに座ることができる。
【図面の簡単な説明】
【００２０】
【図１】本発明の多機能マットレスの好適な実施形態を例示した斜視図
【図２】図１に示した多機能マットレスをソファーとして使用できるようにした配置例
【図３】図１に示した多機能マットレスをベビーベッドとして使用できるようにした配置例
【図４】本発明の多機能マットレスの別の好適な実施形態を例示した斜視図
【図５】図４に示した多機能マットレスをソファーとして使用できるようにした配置例
【図６】図４に示した多機能マットレスにおいて内側部材を構成する第１サブブロックと第２サブブロックを別体とした例を示した斜視図
【図７】図６に示した多機能マットレスをソファーとして使用できるようにした配置例
【符号の説明】
【００２１】
１０      多機能マットレス
１２ａ，１２ｂ，１２ｃ      マットレスブロック
１４      内側部材
１６      サブブロック
１８      枠部
【図１】
2008212560.tif 000003
【図２】
2008212560.tif 000004
【図３】
2008212560.tif 000005
【図４】
2008212560.tif 000006
【図５】
2008212560.tif 000007
【図６】
2008212560.tif 000008
【図７】
2008212560.tif 000009